(57)【要約】アレイセンサと交換可能な筐体を含む携帯機器を活用する装置および方法について説明している。装置は、主筐体（１１０）、主筐体（１１０）へ結合されるべく構成された第１の交換可能な筐体（１２０）、主筐体（１１０）へ結合されたアレイセンサ（１３０）、アレイセンサ（１３０）へ結合された検知モジュール（６１０）、所定の導電性パターンを用いたアレイセンサ（１３０）全域の領域における変化を検知すべく構成された検知モジュール（６１０）、およびアレイセンサ（１３０）へ結合され、所定の導電性パターンを用いて領域における変化を検知するモジュール（６１０）に応答して、装置の動作パラメータを調整すべく構成された調整モジュール（６２０）、を含み得る。
2005528844.tif 000002
【特許請求の範囲】
【請求項１】
主筐体、第１の交換可能な筐体、および静電容量アレイセンサを含む移動通信装置の動作方法であって：
所定の導電性パターンを含む前記第１の交換可能な筐体の位置に基づいて、静電容量アレイセンサの全域にわたり静電場の変化を検知する工程と；
前記第１の交換可能な筐体の位置に基づいて、前記移動体通信装置の動作パラメータを調整する工程と；
からなる方法。
【請求項２】
前記調整工程が更に、前記第１の交換可能な筐体の機能と相関させるために静電容量検知パラメータを修正することを含む、請求項１に記載の移動体通信装置の動作方法。
【請求項３】
前記検知工程が、前記所定の導電性パターンに基づいて、前記静電容量アレイセンサの全域にわたり静電場の変化を検出することによって前記第１の交換可能な筐体を第２の交換可能な筐体に代替したことを検出することを含む、請求項１に記載の移動体通信装置の動作方法。
【請求項４】
前記調整工程が更に、前記第２の交換可能な筐体の機能から前記第１の交換可能な筐体の機能まで、前記静電容量アレイを再配置することによって、静電容量検知パラメータを変更することを含む、請求項３に記載の移動体通信装置の動作方法。
【請求項５】
前記第１の交換可能な筐体がゲームコントローラ入力装置を含む筐体からなる請求項１に記載の移動体通信装置の動作方法。
【請求項６】
前記第１の交換可能な筐体がクイックダイヤル入力装置を含む筐体からなる請求項１に記載の移動体通信装置の動作方法。
【請求項７】
前記所定の導電性パターンに基づいて、前記第１の交換可能な筐体と関連したアプリケーションをダウンロードすることから更になる請求項１に記載の移動体通信の動作方法。
【請求項８】
前記所定の導電性パターンに基づいて、前記第１の交換可能な筐体に関連した機能を起動することから更になる請求項１に記載の移動体通信の動作方法。
【請求項９】
主筐体、第１の交換可能な筐体、第２の交換可能な筐体および、インピーダンスアレイセンサを含む移動体通信装置の動作方法であって：
前記第１の交換可能な筐体で前記第２の交換可能な筐体を代替したことを検知する工程と；
前記第１の交換可能な筐体の位置に基づいて前記インピーダンスアレイセンサの動作パラメータを調整する工程と；
からなる方法。
【請求項１０】
前記調整工程が更に、前記第１の交換可能な筐体の機能と相関させるためにインピーダンス検知パラメータを修正することを含む、請求項９に記載の移動体通信装置の動作方法。
【請求項１１】
前記調整工程が更に、前記第１の交換可能な筐体の機能性による静電容量アレイ行列を再配置することによって、前記インピーダンス検知パラメータを修正することを含む、請求項９に記載の移動体通信装置の動作方法。
【請求項１２】
前記検知工程が、所定の導電性パターンに基づいて、前記インピーダンスアレイセンサの全域にわたる静電場の変化を検知することによって、前記第１の交換可能な筐体で前記第２の交換可能な筐体を代替したことを検知する、請求項９に記載の移動体通信装置の動作方法。
【請求項１３】
移動体通信装置であって：
主筐体と；
前記主筐体へ結合されるべく構成される第１の交換可能な筐体と；
前記主筐体へ結合される静電容量アレイセンサと；
前記静電容量アレイセンサへ結合される検知モジュールであって、前記静電容量アレイセンサの全域にわたる静電場の変化を検知すべく構成され、同変化が所定の導電性パターンによって生じるものであることと；
前記静電容量アレイセンサへ結合され、静電場における前記変化を検知する前記モジュールに応答して前記移動体通信装置の動作パラメータを調整すべく構成される調整モジュールと；
からなる移動体通信装置。
【請求項１４】
前記調整モジュールが更に、前記第１の交換可能な筐体と相関させるために静電容量検知パラメータを修正すべく構成される、請求項１３に記載の移動体通信装置。
【請求項１５】
前記検知モジュールが更に、前記所定の導電性パターンに基づいて、前記静電容量アレイセンサの全域にわたり静電場の変化を検知することによって、前記第１の交換可能な筐体で第２の交換可能な筐体を代替したことを検知すべく構成される、請求項１３に記載の移動体通信装置。
【請求項１６】
前記調整モジュールが更に、前記第２の交換可能な筐体の機能から前記第１の交換可能な筐体の機能まで、前記静電容量アレイセンサを再配置することによって、静電容量検知パラメータを修正すべく構成される、請求項１５に記載の移動体通信装置。
【請求項１７】
前記第１の交換可能な筐体がゲームコントローラ入力装置を含む筐体である請求項１３に記載の移動体通信装置。
【請求項１８】
前記第１の交換可能な筐体がクイックダイヤル入力装置を含む筐体である請求項１３に記載の移動体通信装置。
【請求項１９】
前記所定の導電性パターンに基づいて、前記第１の交換可能な筐体に関連したアプリケーションをダウンロードすべく構成されたダウンロードモジュール、から更になる請求項１３に記載の移動体通信装置。
【請求項２０】
前記所定の導電性パターンに基づいて、前記第１の交換可能な筐体に関連した機能を起動すべく構成された起動モジュール、から更になる請求項１３に記載の移動体通信装置。
【請求項２１】
移動体通信装置であって：
主筐体と；
前記主筐体へ結合されるべく構成された第１の交換可能な筐体と；
前記主筐体へ結合されるべく構成された第２の交換可能な筐体と；
前記主筐体へ結合された静電容量アレイセンサと；前記第１の交換可能な筐体で前記第２の交換可能な筐体を代替したことを検知すべく構成された検知モジュールと；
前記第１の交換可能な筐体の位置に基づいて、前記移動体通信装置の動作パラメータを調整すべく構成された調整モジュールと；
からなる移動体通信装置。
【請求項２２】
前記調整モジュールが更に、前記第１の交換可能な筐体の機能と相関させるために静電容量検知パラメータを修正すべく構成される、請求項２１に記載の移動体通信装置。
【請求項２３】
前記調整モジュールが更に、前記第１の交換可能な筐体による静電容量アレイ行列の再配置によって、前記静電容量検知パラメータを修正すべく構成される、請求項２１に記載の移動体通信装置。
【請求項２４】
前記検知モジュールが更に、所定の導電性パターンに基づいて、前記静電容量アレイセンサの全域にわたり静電場の変化を検知することによって、前記第１の交換可能な筐体で前記第２の交換可能な筐体を代替したことを検知すべく構成される、請求項２１に記載の移動体通信装置。
【請求項２５】
携帯機器であって：
主筐体と；
前記主筐体へ結合されたディスプレイと；
前記主筐体へ結合されるべく構成された第１の交換可能な筐体と；
前記主筐体へ結合された静電容量アレイセンサと；
前記静電容量アレイセンサへ結合され、同静電容量アレイセンサの全域にわたる静電場の変化を検知すべく構成された検知モジュールであって、同変化が所定の導電性パターンによって生じることと；
前記静電容量アレイセンサへ結合され、所定の導電性パターンを用いる前記静電場の変化を検知する前記モジュールに応答して、前記移動体通信装置の動作パラメータを調整すべく構成された調整モジュールと；
からなる携帯機器。
【請求項２６】
前記調整モジュールが更に、前記第１の交換可能な筐体の機能と相関させるために、静電容量検知パラメータを修正すべく構成される請求項２５に記載の携帯機器。
【請求項２７】
前記検知モジュ―ルが更に、前記所定の導電性パターンに基づいて、前記静電容量アレイセンサの全域にわたり静電場の変化を検知することによって、前記第１の交換可能な筐体で第２の交換可能な筐体と代替したことを検知すべく構成される、請求項２５に記載の携帯機器。
【請求項２８】
前記主筐体へ結合されたキーパッドで、前記静電容量アレイセンサが同キーパッドの真下に配置される、ことから更になる請求項２５に記載の携帯機器。
【請求項２９】
前記主筐体へ結合された表面カバー筐体で、前記第１の交換可能な筐体が同表面カバー筐体を介して同主筐体へ結合されることから更になる請求項２５に記載の携帯機器。
【請求項３０】
前記第１の交換可能な筐体がホルスタである請求項２５に記載の携帯機器。
【発明の詳細な説明】
【技術分野】
【０００１】
本発明は、交換可能なカバーを含む携帯装置を活用するための方法および装置に関する。特に、本発明は、交換可能な筐体とアレイセンサとを含む携帯機器に関するものである。
【背景技術】
【０００２】
近年、携帯電話、ページャ、携帯ゲーム機、および遠隔制御等の移動体通信装置および携帯端末は、外回りの（ｏｎ  ｔｈｅ  ｇｏ）使用者のために、通信および他の機能を提供する。例えば、携帯電話を使用するユーザ、あるいは携帯ゲーム機を使用するユーザは、車中でこれらの機器を使用できる。携帯端末の拡張機能も人気が上昇している。例えば、携帯電話は、自己管理機能、インターネット接続機能、メッセ―ジ機能、ゲーム機能および電話帳機能等を備えてもよい。残念ながら、これらの拡張機能は、装置上で得られる入力を上回る入力を必要とする。例えば、通常のテンキーボードは、ゲーム目的には有用ではない。通信装置の限定された表面積によって、移動体通信装置へ追加し得る入力数は制限される。例えば、パーソナルコンピュータのフルキーボードは、携帯性を制限せずに移動体通信装置へ加えることはできない。従って、移動体通信装置は、拡張機能のための十分な入力を備えない。
【０００３】
更に、携帯端末の入力機能は、より複雑になってきている。例えば、拡張機能を効率的に動作させるためには、追加のキー、ダイヤル、ボタン等を必要とする。特に、スクロールボタンは、使用者がディスプレイ上のオプションをスクロールできる携帯端末の表面に配置されるとよい。他の例として、音量調整ボタン、機能選択ボタンや、音声メモキー等がある。しかし、これらの追加されたキーは、携帯端末の表面を乱雑にして、使いづらくなる。さらに、携帯端末表面の限られたスペースでは、携帯端末に追加し得る追加の入力装置の数も限られる。さらに、入力装置を追加すると、不慣れな使用者が携帯端末の動作を理解し難くなる。それ故に、これらの移動体通信装置も、十分な使用者の入力機能を満たしていない。静電容量型のタッチパッドは、ガーファイド（Ｇｅｒｐｈｅｉｄｅ）等に１９９６年１０月１５日に付与された米国特許第５，５６５，６５８号、ガーファイド（Ｇｅｒｐｈｅｉｄｅ）に１９９９年１月１９日に付与された米国特許第５，８６１，８７５号、およびガーファイド（Ｇｅｒｐｈｅｉｄｅ）等に２００１年４月２４日に付与された米国特許第６，２２２，５２８Ｂ１号，に開示されている。このタッチパッドは、ラップトップコンピュータ、デスクトップコンピュータ双方のマウスの代わりとして開示されている。特に、このタッチパッドは、コンピュータのポインタ装置の代わりとして特に有用であると開示され、そしてこのタッチパッドは、フルキーボードやモニタや、大型ＬＣＤディスプレイなどのディスプレイに活用できる。しかし、このようなコンピュータは携帯性が制限されるので、移動体通信装置としては有用でない。特に、フルキーボード、モニタ、そしてラップトップコンピュータでさえ、使用者が持ち運ぶには扱いにくい。別の問題として、タッチパッドが、キーボードやディスプレイに加えて相対的に多くの表面積を専有しているという問題がある。その結果、タッチパッドがフルキーボード、ディスプレイと共に備わっている時は、タッチパッドが備わった装置を運ぶのは更に不便である。
【特許文献１】米国特許第５，５６５，６５８号
【特許文献２】米国特許第５，８６１，８７５号
【特許文献３】米国特許第６，２２２，５２８Ｂ１号
【発明の開示】
【発明が解決しようとする課題】
【０００４】
従って、携帯端末の拡張機能のための簡便なデータ入力を行う方法の必要性が高まって
いる。
【課題を解決するための手段】
【０００５】
本発明は、装置と、アレイセンサと交換可能な筐体とを含む携帯端末を活用する方法を提供する。
装置は、主筐体、主筐体へ結合される様に構成された第１の交換可能筐体、主筐体に結合された静電容量型あるいはインピーダンス型のアレイセンサ、静電容量アレイセンサへ結合された検知モジュール、所定の導電性パターンを用いて静電容量アレイセンサ全域にわたる静電場の変化を検知すべく構成された検知モジュール、静電容量アレイセンサに結合された調整モジュール、所定の導電性パターンを用いた静電場の変化を検知するモジュールに応答して、移動体通信装置の操作パラメータを調整すべく構成された調整モジュールを含み得る。
【０００６】
調整モジュールは更に、第１の交換可能な筐体の機能と関連付けるための静電容量検知パラメータを変更すべく構成され得る。検知モジュールは、所定の導電性パターンに基づいて静電容量アレイセンサ全域にわたる静電場の変化を検知することによって、第１の交換可能な筐体で第２の交換可能な筐体の代替を検知すべく構成され得る。調整モジュールは更に、第２の交換可能な筐体の機能から第１の交換可能な筐体の機能まで、静電容量アレイを再配置することによって、静電容量検知パラメータを修正すべく構成され得る。
【発明を実施するための最良の形態】
【０００７】
本発明における好ましい実施例を以下に示す図を参照して述べる。数字は各図の要素を示している。
図１は、本発明の実施例による携帯機器１０の例図である。携帯機器１０は、個人用ディジタル補助装置（ｐｅｒｓｏｎａｌ  ｄｉｇｉｔａｌ  ａｓｓｉｓｔａｎｔ）、携帯電話、ページャ、および携帯ゲーム機等の、あらゆる形式の個人用携帯機器である。携帯機器１０は、移動体通信装置であるのが好ましい。携帯機器１０は、表面１１５を含む主筐体１１０、交換可能な筐体１２０、タッチパッドもしくはアレイセンサ１３０、キーパッド１３５、音声入力装置１４０、音声出力装置１５０、映像出力装置１６０、アンテナ１７０、およびパターン１８０を含み得る。主筐体１１０あるいは交換可能な筐体１２０は、キーパッド１３５、音声入力装置１４０、音声出力装置１５０、映像出力装置１６０、もしくは他の要素によるあらゆる組合せを含んでもよい。キーパッド１３５は、数字キーパッドでもよく、アレイセンサ１３０は、キーパッド１３５の真下に配置されてもよい。交換可能な筐体１２０は、ゴムや皮などの柔軟性材料、プラスティックなどの硬い材料、あるいはその他のあらゆる材料で作製される。更に、交換可能な筐体１２０は開口部を有し、この開口部を介してキーパッド１３５と接続される。携帯機器１０は、必ずしもマルチ入出力装置を必要とはしない。例えば、移動体通信装置は、アレイセンサ１３０が入力用のみに、ディスプレイ１６０が出力用のみに活用されてもよい。
【０００８】
交換可能な筐体１２０は、回転可能な結合、スライド可能な結合、取外し可能な結合、あるいは第１の筐体を第２の筐体へ結合するためのその他の方法によって主筐体１１０へ結合される。例えば、交換可能な筐体１２０は、第１の筐体１１５の表面に沿って回転、あるいはスライドしてもよいし、主筐体１１０の端に沿って回転してもよい。音声入力装置１４０はマイクロフォンであってもよい。音声出力装置１５０はスピーカであってもよい。ディスプレイ１６０はＬＣＤディスプレイ、ＬＥＤディスプレイ、あるいは映像情報を表示するのに有用なその他のディスプレイであってもよい。ディスプレイ１６０は、表示された情報を見やすくするためにバックライトを内蔵してもよい。アレイセンサ１３０は、第１の筐体１１５の表面上に配置されたキーパッド１３５の真下に配置されてもよい。アレイセンサ１３０は、インピーダンスセンサ、静電容量アレイセンサ、誘導性アレイセンサ、あるいはアレイセンサ１３０に接近した物体を検知するのに有用なその他のセン
サであってもよい。例えば、アレイセンサ１３０は、プラスティック基板上に印刷されたｘ軸とｙ軸の電極を含んでもよい。これらの電極は充電され得て、後述のような変化をモニタし得る。
【０００９】
パターン１８０は、所定の導電性パターンであってもよい。このパターン１８０は、フリップ内に配置された独自の金属構造であり、そのフリップはアレイ１３０によって検知され得る独自のｘ−ｙパターンを生成し得る。例えば、パターン１８０は、導電性素子、アンテナ１７０、第２のアンテナ、交換可能な筐体１２０内に蒸着された金属材料、あるいはその他の導電性デバイスや材料であってもよい。パターン１８０は、予め決められていてもよい。例えば、パターンはバーコード形式、数字形式、文字形式、記号形式、隠しパターン形式、特別に設計されたパターンの形式、あるいは識別子等として使われ得るその他のパターン形式でもよい。
【００１０】
動作中において、携帯機器１０は、他の移動通信装置や基地局等と通信できる。音声入力装置１４０は送信用音声信号を受信でき、音声出力装置１５０は、受信した通信信号を音声フォーマットで出力できる。ディスプレイ１６０は、映像情報を、ダイヤル式電話番号、信号強度表示器、電話帳入力、テキストメッセージ、アイコン、あるいはその他の有用な映像情報等の携帯機器１０の使用者へ表示できる。
【００１１】
アレイセンサ１３０は、パターン１８０を検出するために調整され得る。例えば、アレイセンサは、特定の交換可能な筐体１２０固有の所定のパターンを検出できる。移動端末１０は、次に動作モードを変更し、休止状態の機能を動作、または交換可能な筐体１２０固有の新しい機能をダウンロードする。パターン１８０は認証のためにも用いられ得る。
【００１２】
アレイセンサ１３０は、例えば電極の静電容量の変化に基づく指のような、導電材料の位置を検出するために調整もされ得る。本体が、検出されるのに十分に電極の静電容量を変化させる感度もしくはレンジは、１０分の数ミリメートルから１２ミリメートル超程度で調整され得る。例えば、アレイセンサ１３０は指を走査させて、起動のためにアレイセンサ１３０の静電容量を変化させるための移動距離に達する。この様に、本発明は携帯機器１０のためにさらなる入力機能を提供する。
【００１３】
図２は、第２の実施例による携帯機器１０の例示である。携帯機器１０は、第１の筐体１１５の少なくとも一部分あるいは全体の表面部分へ接続するために開き、第１の筐体１１５の表面を覆うために閉じる表面カバー１２５を含んでもよい。このダイヤグラムは、開いた状態で表面カバー１２５を覆う交換可能な筐体１２０を有する携帯機器１０の例を示す。表面カバー１２５は、主筐体１１０へ回転できる状態で結合されてもよい。動作中において、表面カバーおよび交換可能な筐体１２０が閉じた状態にある場合、アレイセンサ１３０は、第１の筐体１１５の表面に対応する、開いた状態の検出感度２１０から、表面カバー１２５の外側および第２の筐体２４０に応答して、閉じた状態の検出感度２２０へ、検出感度を調整、または増加し得る。従って本発明は、キーパッド１３５が閉じた状態で表面カバー１２５および交換可能な筐体１２０で覆われている場合でも、本発明はさらなる入力機能を提供し得る。例えば、交換可能な筐体１２０は、以下に示すような入力機能のためのマーキングを含んでもよい。
【００１４】
図３は、第３の実施例による携帯機器１０の例示である。同図のダイヤグラムは携帯機器１０の一部分を覆う交換可能な筐体１２０を用いた携帯機器１０の例を示す。交換可能な筐体１２０は、携帯機器１０の全体を含むあらゆる部位を覆ってもよい。交換可能な筐体１２０は、携帯ケースやベルトクリップ等のようなホルスタとして用いてもよい。動作中において、アレイセンサ１３０は、交換可能な筐体１２０の外部上で導電性物質を検知できる。導電性物質は、指、針、あるいはアレイセンサ１３０によって探知可能なその他
の物質を含み得る。
【００１５】
図４は、別の実施例による携帯機器１０のブロックダイヤグラムの例示である。携帯機器１０は、コントローラ４１０、入力／出力（Ｉ／Ｏ）回路４２０、送信回路４３０、受信回路４４０、およびバス４５０を含み得る。動作中において、バス４５０によって、携帯機器１０の種々の回路や要素が互いに通信可能になる。Ｉ／Ｏ回路は、アレイセンサ１３０、キーパッド１３５、音声入力装置１４０、ディスプレイ１６０、および音声出力装置１５０のようなＩ／Ｏ装置のためにインタフェイスを提供する。送信回路４３０は、通信信号を他の通信機器や基地局等に送信する。受信回路４４０は、他の移動通信機器や基地局等から通信信号を受信する。コントローラ４１０は、携帯機器１０の動作を制御する。
【００１６】
実施例において、コントローラ４１０は、導電性パターン１８０を用いて、第１の交換可能な筐体１２０の位置に基づいてアレイセンサ１３０全域における静電場の変化を検知し、第１の交換可能な筐体１２０の位置に基づいて携帯機器１０の動作パラメータを調整する。例えば、コントローラ４１０は、交換可能な筐体が携帯機器１０上に配置された時を検知できる。コントローラ４１０は、第１の交換可能な筐体１２０の機能へ関連づけるために静電容量検知パラメータを修正してもよい。例えば、機能は、ゲーム機能、速度ダイヤル機能、あるいは交換可能な筐体上で有用なその他の機能であってもよい。コントローラ４１０は、導電性パターン１８０に基づくアレイセンサ１３０全域にわたる静電場の変化を検知することによる第１の交換可能な筐体１２０で第２の交換可能な筐体の代替をさらに検知してもよい。種々の第１と第２の交換可能な筐体は、図７−１０に詳述する内容を含み、その他の交換可能な筐体を含んでもよい。更に、コントローラ４１０は、第２の交換可能な筐体の機能から第１の交換可能な筐体１２０の機能まで、アレイセンサ１３０を再配置することによって静電容量検知パラメータを修正してもよい。第１の交換可能な筐体１２０は、ゲームコントローラ表示器、クイックダイヤル表示器、あるいはその他の有用なボタン、ノブ、ダイヤル、他の表示器を含む筐体であってもよい。
【００１７】
コントローラ４１０は、導電性パターン１８０に基づく第１の交換可能な筐体１２０に関するアプリケーションもダウンロードする。例えば、パターン１８０を検出して、コントローラ４１０は、無線サービスを介してサーバにアクセスしてもよい。認証後、コントローラ４１０は、次にアプリケーションをダウンロードし、交換可能な筐体１２０による使用のために装置１０上にインストールする。更なる例として、ゲーム用のキーとボタンを備えた交換可能な筐体１２０が装置１０上にインストールされた場合、コントローラ４１０は、次に交換可能な筐体１２０による使用のためにゲームをダウンロードする。
【００１８】
さらに、コントローラ４１０は、導電性パターン１８０に基づく交換可能な筐体１２０に関する機能を起動する。例えば、装置１０は、特定の交換可能な筐体１２０に関する不活性あるいは休止状態の機能を含んでもよい。交換可能な筐体１２０をインストールした後、コントローラ４１０は、交換可能な筐体１２０に特有の機能を起動してもよい。更なる例として、装置１０は、休止状態のクイックダイヤル機能を含んでもよい。クイックダイヤルボタンもしくは表示器を含む交換可能な筐体１２０の設定をインストールした後、コントローラ４１０は、次にクイックダイヤル機能を起動してもよい。
【００１９】
コントローラ４１０は、第１の交換可能な筐体１２０で第２の交換可能な筐体の代替したことを検知し、第１の交換可能な筐体１２０の位置に基づいて、アレイセンサ１３０の動作パラメータを調整することにより、装置１０内でも動作してもよい。コントローラ４１０は、インピーダンス型、静電容量型、もしくは誘導型検知パラメータのようなパラメータが、第１の交換可能な筐体１２０の機能を相関すべく変更することによっても動作する。例えば、コントローラ４１０は、アレイセンサ１３０の検出感度を調整できる。別の
例として、コントローラ４１０は、コントローラ４１０内の検出アルゴリズムを、アレイセンサ１３０によって検知された特定の起動を検出すべく変更されてもよい。同例において、コントローラ４１０は、装置１０の表面上の特定の位置における導電性物質の特定の動作を検出できる。これらの物質は、指、ボタンや表示器等を含んでいてもよい。
【００２０】
コントローラ４１０は、第１の交換可能な筐体１２０の機能性によるアレイ行列の再配置によって、検知パラメータを修正することによっても動作できる。例えば、コントローラ４１０は、交換可能な筐体１２０上のボタン、表示器に関連する行列を含んでもよい。コントローラ４１０は、次に行列による特定の位置におけるボタン凹部を検出できる。次に、コントローラ４１０は、ボタンに関連した機能を起動し得る。コントローラ４１０は、導電性パターン１８０に基づいてアレイセンサ１３０の全域にわたる静電場の変化を検知することによって、第１の交換可能な筐体１２０で第２の交換可能な筐体を代替したことを検知すべく動作できる。
【００２１】
図５は、実施例による静電容量アレイセンサ１３０としてのアレイセンサ１３０の例示である。アレイセンサ１３０は、電極５１５を含む第１の電極アレイ５１０、電極５２５を含む第２の電極アレイ５２０、タッチパッド表面５４０、および検知電極５３０を含み得る。第１の電極アレイ５１０は、交差領域を決定する第２のアレイ電極５２５に垂直な第１のアレイ電極５１５を備えた第２の電極アレイ５２０を超え得る。誘電体、絶縁体や空隙等のようなスペーサは、電極アレイ５１０と電極アレイ５２０とを分離する。
【００２２】
動作中において、第１の電極アレイ５１０は、第２の電極アレイ５２０と連結して、電界をつくり得る。この電界は、検知電極５３０に関しても決定し得る。検知電極５３０は、電極アレイ５１０および電極アレイ５２０の動作を必要としない。特に、電界または静電容量は、検知電極５３０を使用せずに、電極アレイ５１０と電極アレイ５２０との間で生成されてもよい。コントローラ４１０は、電荷を第１の電極アレイ５１０と第２の電極アレイ５２０へ供給して、それによって静電容量が電極アレイ５１０と電極アレイ５２０との間、もしくはそれぞれの電極アレイ５１０、電極アレイ５２０そして検知電極５３０のそれぞれの間で発生する。コントローラ４１０は、静電容量上の導電性物質の効果に基づいてタッチパッド表面５４０に接近した導電性物質を検出できる。例えば、アレイセンサ１３０に近接する指のような導電性物質は、静電容量を減少し得る。コントローラ４１０は、次に静電容量における減少を測定することにより導電性物質の存在を検出できる。コントローラ４１０は、次に、関連する電極５１５と電極５２５に関連する静電場の変化に基づいて導電性物質の位置を決定し得る。
【００２３】
図６は、別の実施例によるコントローラ４１０のブロックダイヤグラムの例示である。コントローラ４１０は、筐体の検知モジュール６１０、動作パラメータ調整モジュール６２０、アプリケーションのダウンロードモジュール６３０、および機能起動モジュール６４０を含んでもよい。動作中において、筐体の検知モジュール６１０は、所定の導電性パターン１８０を用いる静電容量アレイセンサ１３０の全域にわたる静電場の変化を検知すべく構成され、動作パラメータ調整モジュール６２０は、所定の導電性パターンを用いる静電場の変化を検知するモジュールに応じて、移動通信の動作パラメータを調整すべく構成されてもよい。動作パラメータ調整モジュール６２０は更に、静電容量検知パラメータが第１の交換可能な筐体１２０の機能と相関するように、変更すべく構成されてもよい。筐体の検知モジュール６１０は、更に、所定の導電性パターン１８０に基づいて静電容量アレイセンサ１３０の全域にわたり静電場の変化を検知することによって、第１の交換可能な筐体で第２の交換可能な筐体の代替が行われたことを検知すべく構成されてもよい。動作パラメータの調整モジュール６２０は、更に、第２の交換可能な筐体の機能から第１の交換可能な筐体１３０の機能への静電容量アレイセンサ１３０の再配置によって静電容量検知パラメータを修正すべく構成されてもよい。第１の交換可能な筐体１２０は、ゲー
ムコントローラ入力装置を含む筐体からなる。第１の交換可能な筐体１２０は、クイックダイヤル入力装置を含む筐体も備える。アプリケーションダウンロードモジュール６３０は、所定の導電性パターン１８０に基づいて第１の交換可能な筐体１２０に関連するアプリケーションをダウンロードするために構成されてもよい。機能起動モジュール６４０は、所定の導電性パターン１８０に基づいて第１の交換可能な筐体１２０に関連する機能を起動するために構成されてもよい。
【００２４】
別の実施例によって、筐体検知モジュール６１０は、第１の交換可能な筐体１２０で第２の交換可能な筐体を代替したことを検知する。例えば、筐体検知モジュール６１０は、アレイセンサ１３０全域にわたり静電場の変化を検知できる。動作パラメータ調整モジュール６２０は、交換可能な筐体１２０の位置に基づいて携帯機器１０の動作パラメータを調整する。動作パラメータ調整モジュール６２０は、静電容量検知パラメータが第１の交換可能な筐体１２０の機能との相関のために、変更すべく構成されてもよい。動作パラメータ調整モジュール６２０は更に、第１交換可能な筐体１２０の機能性による静電容量アレイ行列の再配置によって静電容量検知パラメータを修正すべく構成されてもよい。筐体検知モジュール６１０は、導電性パターン１８０に基づいてアレイセンサ１３０全域にわたる静電場の変化を検知することによって、第１の交換可能な筐体１２０で第２の交換可能な筐体の代替を検知すべく構成されてもよい。
【００２５】
筐体検知モジュール６１０は、導電性パターン１８０を用いるアレイセンサ１３０全域にわたり静電場の変化を検知すべく構成されてもよい。動作パラメータ調整モジュール６２０は、アレイセンサ１３０へ結合され、動作パラメータ調整モジュール６２０は更に、導電性パターン１８０を用いる静電場の変化を検知する筐体検知モジュール６１０に応じて、携帯機器１０の動作パラメータを調整すべく構成されてもよい。動作パラメータ調整モジュール６２０は更に、静電容量検知パラメータを第１の交換可能な筐体１２０の機能へ相関させるために、変更すべく構成されてもよい。筐体検知モジュール６１０は更に、導電性パターン１８０に基づいてアレイセンサ１３０全域にわたる静電場の変化を検知することによって、第１の交換可能な筐体１２０が第２の交換可能な筐体に代替されたことを検知すべく構成されてもよい。
【００２６】
図７は、第２の実施例による交換可能な筐体７００の例示である。同実施例は、ゲーム表示器もしくはボタンを含む交換可能な筐体７００を示す。この交換可能な筐体７００は、ディスプレイ開口部７１０、コントローラパッド７２０のようなゲーム入力装置、アクションボタン７３０およびアクションボタン７４０、選択ボタン７５０および選択ボタン７６０、またはその他のボタン、コントローラや表示器等のゲームコントロールに有用なものを含み得る。
【００２７】
動作中において、交換可能な筐体７００が携帯機器１０上に配置された場合、コントローラ４１０は、交換可能な筐体７００上で導電性パターン１８０を検知できる。コントローラ４１０は、ゲームアプリケーション、または交換可能な筐体７００を用いた機能を、起動もしくはダウンロードし得る。コントローラ４１０は次に、アレイセンサ１３０の動作パラメータがゲーム機能と共にゲーム入力装置として使用できるように調整できる。例えば、それぞれのゲーム入力装置は、それ自身の導電性パターンを含んでもよい。アレイセンサ１３０は、次に、特定のゲーム入力装置における導電性パターンの位置に基づいて、ゲーム入力装置の起動を検知できる。
【００２８】
図８は、第３の実施例による交換可能な筐体８００の例示である。同実施例は、クイックダイヤル表示器あるいはボタンを含む交換可能な筐体８００を示す。例えば、これらのクイックダイヤル入力装置は、特定の名前を割り当てられたボタンを含み得る。
【００２９】
動作中において、交換可能な筐体８００が携帯機器１０上に配置された場合、コントローラ４１０は、交換可能な筐体８００に特有の導電性パターン１８０を検知できる。コントローラ４１０は、交換可能な筐体８００を使用するために、クイックダイヤルアプリケーションもしくはクイックダイヤル機能を、起動あるいはダウンロードできる。コントローラ４１０は、次にアレイセンサ１３０の動作パラメータを、クイックダイヤル機能と共にクイックダイヤル入力装置を利用するために調整できる。例えば、動作の複雑さが減少すれば、子供でも携帯電話を使えるようになる。
【００３０】
図９は、第４の実施例による交換可能な筐体９００の例示である。同実施例は、スケッチ機能表示器を含む交換可能な筐体９００を示す。交換可能な筐体９００は、ディスプレイ開口部９１０、スケッチパッド区域９２０、選択ボタン９３９および選択ボタン９４０、もしくはその他のボタン、コントローラ、表示器等のスケッチパッド機能に有用なものを含み得る。
【００３１】
動作中において、交換可能な筐体９００が携帯機器１０上に配置された場合、コントローラ４１０は、交換可能な筐体９００に特有の導電性パターン１８０を検知できる。コントローラ４１０は、交換可能な筐体９００を使用するために、スケッチパッドアプリケーションもしくはスケッチパッド機能を、起動あるいはダウンロードできる。コントローラ４１０は、次にアレイセンサ１３０の動作パラメータを、スケッチパッド機能と共にスケッチパッド入力装置を使用するために調整できる。
【００３２】
図１０は、第５の実施例による交換可能な筐体１０００の例示である。同実施例は、使用者が割当て可能な表示器またはボタンを含む交換可能な筐体１０００を示す。交換可能な筐体１０００は、ディスプレイ開口部１０１０を含み、ボタン１０２０、ボタン１０３０、およびボタン１０４０、あるいはその他のボタン、コントローラ、表示器等の使用者が割当て可能な入力に有用であるような、使用者が割当て可能な入力装置を含み得る。
【００３３】
動作中において、交換可能な筐体１０００が携帯機器１０上に配置された場合、コントローラ４１０は、交換可能な筐体１０００上の導電性パターン１８０を検知できる。コントローラ４１０は、交換可能な筐体１０００を使用するために、使用者が割当て可能なアプリケーションもしくは機能を、起動あるいはダウンロードできる。コントローラ４１０は、次にアレイセンサ１３０の動作パラメータを、使用者が割当て可能な機能と共に入力装置を使用するために、調整できる。
【００３４】
本発明の方法は、プログラムされたプロセッサ上で実施されるのが望ましい。しかしながら、コントローラ４１０の動作は、汎用もしくは特殊用途のコンピュータ、プログラムされたマイクロプロセッサもしくはマイクロコントローラや集積回路素子の周辺機器、ＡＳＩＣまたは他の集積回路、個別素子回路のようなハードウェアの電子回路または論理回路、ＰＬＤ，ＰＬＡ，ＦＰＧＡ，ＰＡＬ等のプログラム可能な論理装置上で実施されてもよい。一般に、コントローラ４１０を動作できる有限状態マシン上にあるあらゆる装置は、本発明の処理機能を実施するために用いられてもよい。
【００３５】
本発明は、具体的な実施例を用いて説明をしてきたが、多くの代案、変更、および改変は、当業者には明らかになることは明白である。例えば、本実施例の様々な要素は、他の実施例の要素に入れ替えたり、追加したり、置き換えてもよい。さらに、これまで説明してきた本発明における好ましい実施例は、説明のためであり、限定するものではない。様々な変更は、本発明の精神と範囲から逸脱することなく実施される。
【図面の簡単な説明】
【００３６】
【図１】第１の実施例による携帯端末の例図。
【図２】第２の実施例による携帯端末の例図。
【図３】第３の実施例による携帯端末の例図。
【図４】別の実施例による携帯端末のブロックタイヤグラム例。
【図５】一実施例による容量性アレイセンサの例図。
【図６】一実施例によるコントローラのブロックダイヤグラム例。
【図７】実施例による交換可能な筐体の例図。
【図８】別の実施例による交換可能な筐体の例図。
【図９】第３の実施例による交換可能な筐体の例図。
【図１０】第４の実施例による交換可能な筐体の例図。
【図１】
2005528844.tif 000003
【図２】
2005528844.tif 000004
【図３】
2005528844.tif 000005
【図４】
2005528844.tif 000006
【図５】
2005528844.tif 000007
【図６】
2005528844.tif 000008
【図７】
2005528844.tif 000009
【図８】
2005528844.tif 000010
【図９】
2005528844.tif 000011
【図１０】
2005528844.tif 000012
【国際調査報告】
2005528844.tif 000013